(57)【要約】【課題】光軸方向で組み合わされる第１ケース体と第２ケース体との固定強度を高めることが可能で、かつ、比較的簡易な構成で、装置の内部と外部との間での電磁波の通過を抑制することが可能なレンズ駆動装置を提供すること。【解決手段】レンズ駆動装置１は、レンズを保持する可動体２と、可動体２を駆動する駆動機構と、光軸方向で組み合わされて互いに固定される第１ケース体１１および第２ケース体１２とを備えている。第１ケース体１１は、磁性材料で形成されるとともに駆動機構を囲むように被写体側に配置され、第２ケース体１２は、樹脂材料で形成されるとともに反被写体側に配置されている。第２ケース体１２の外周面には、携帯機器にレンズ駆動装置１を取り付けるための取付凹部１２ｂが形成され、第１ケース体１１には、第２ケース体１２の外周面に外側から重なるように反被写体側へ延びる延出部１１ｅが取付凹部１２ｂを避けた位置に形成されている。【選択図】図１
2010286509.tif 000002
【特許請求の範囲】
【請求項１】
携帯機器に搭載されて使用されるレンズ駆動装置において、
レンズを保持し前記レンズの光軸方向に移動可能な可動体と、前記可動体を前記光軸方向へ駆動するための駆動機構と、前記可動体および前記駆動機構を囲むように配置されるとともに前記光軸方向で組み合わされて互いに固定される第１ケース体および第２ケース体とを備え、
前記第１ケース体は、磁性材料によって略筒状に形成されるとともに、前記駆動機構を囲むように被写体側に配置され、
前記第２ケース体は、樹脂材料によって略筒状に形成されるとともに、反被写体側に配置され、
前記第２ケース体の外周面には、前記携帯機器に前記レンズ駆動装置を取り付けるための取付凹部が形成され、
前記第１ケース体には、前記第２ケース体の外周面に外側から重なるように反被写体側へ延びる延出部が前記取付凹部を避けた位置に形成されていることを特徴とするレンズ駆動装置。
【請求項２】
前記延出部は、前記第２ケース体の反被写体側端まで延びていることを特徴とする請求項１記載のレンズ駆動装置。
【請求項３】
前記第１ケース体および前記第２ケース体は、前記光軸方向から見たときの形状が略四角形状となる略四角筒状に形成され、
前記取付凹部は、前記第２ケース体の四隅の外周面に形成され、
前記第１ケース体の四隅には、前記取付凹部が露出するように切欠部が形成され、
前記延出部は、前記切欠部の間に形成されていることを特徴とする請求項１または２記載のレンズ駆動装置。
【請求項４】
前記第１ケース体の側面のそれぞれには、前記光軸方向に略平行な前記延出部の２個の第１端面と、前記光軸方向に略直交するとともに前記第１端面の被写体側端から前記第１ケース体の四隅に向かう２個の第２端面とが形成されていることを特徴とする請求項３記載のレンズ駆動装置。
【発明の詳細な説明】
【技術分野】
【０００１】
本発明は、携帯電話等に搭載される比較的小型のカメラで使用されるレンズ駆動装置に関する。
【背景技術】
【０００２】
従来、携帯電話等に搭載されるカメラの撮影用レンズを駆動するレンズ駆動装置として、複数のレンズを保持して光軸方向に移動する移動レンズ体と、２枚の板バネを介して移動レンズ体を移動可能に保持する固定体とを備えるレンズ駆動装置が知られている（たとえば、特許文献１参照）。この特許文献１に記載のレンズ駆動装置では、移動レンズ体を構成する円筒状のスリーブの外周に駆動用コイルが巻回されている。また、このレンズ駆動装置では、駆動用コイルの外周面に対向するように、４個の磁石が配置されている。
【０００３】
また、このレンズ駆動装置では、固定体は、撮像素子を保持するためのベースと、被写体側に位置するケースと、ベースとケースとの間に挟まれたバックヨークとを備えており、ベースとバックヨーク、および、ケースとバックヨークは、互いに光軸方向の端面を当接させた状態で、たとえば、接着によって固定されている。なお、バックヨークは、４個の磁石の周りを囲むカバー部としての機能を果たしている。
【０００４】
ここで、レンズ駆動装置が使用されるカメラの内部には、レンズを駆動するための駆動機構、および、駆動機構の駆動回路や撮像素子等の電子部品が配置される。したがって、レンズ駆動装置が使用されるカメラでは、外部との電磁的な干渉を防止するために、カメラの外部と内部との間での電磁波の通過を制限することが好ましい。すなわち、レンズ駆動装置が使用されるカメラでは、電磁シールドを行うことが好ましい。そこで、従来、レンズ駆動装置が使用されるカメラにおいて電磁シールドを行うための構成が種々、提案されている（たとえば、特許文献２参照）。
【０００５】
この特許文献２に記載のカメラでは、金属板の表裏に樹脂層が形成されたハウジングと、金属板からなる蓋体と、グランドパターンが形成された基板とから構成される筐体の内部に、レンズを駆動するための駆動機構や電子部品等が配置されており、この筐体によって、カメラに電磁シールドが施されている。なお、従来、レンズ駆動装置が使用されるカメラ以外のカメラにおいても電磁シールドを行うための構成が種々、提案されている（たとえば、特許文献３および４参照）。
【先行技術文献】
【特許文献】
【０００６】
【特許文献１】特開２００８−５８６５９号公報
【特許文献２】特開２００９−３８４４５号公報
【特許文献３】特開２００８−１９３５６６号公報
【特許文献４】特開２００６−１６５６２４号公報
【発明の概要】
【発明が解決しようとする課題】
【０００７】
特許文献１に記載のレンズ駆動装置では、上述のように、ベースとバックヨークとが互いに光軸方向の端面を当接させた状態で接着によって固定されている。そのため、このレンズ駆動装置では、ベースとバックヨークとの間で十分な接着面積を確保することが困難になり、ベースとバックヨークとの固定強度を十分に確保できなくなるおそれがある。また、特許文献２に記載のカメラでは、電磁シールドを行うために、金属板の表裏に樹脂層が形成されたハウジングが使用されており、カメラの構成が複雑である。
【０００８】
そこで、本発明の課題は、光軸方向で組み合わされて固定される第１ケース体と第２ケース体との固定強度を高めることが可能で、かつ、比較的簡易な構成で、装置の内部と外部との間での電磁波の通過を抑制することが可能なレンズ駆動装置を提供することにある。
【課題を解決するための手段】
【０００９】
上記の課題を解決するため、本発明のレンズ駆動装置は、携帯機器に搭載されて使用されるレンズ駆動装置において、レンズを保持しレンズの光軸方向に移動可能な可動体と、可動体を光軸方向へ駆動するための駆動機構と、可動体および駆動機構を囲むように配置されるとともに光軸方向で組み合わされて互いに固定される第１ケース体および第２ケース体とを備え、第１ケース体は、磁性材料によって略筒状に形成されるとともに、駆動機構を囲むように被写体側に配置され、第２ケース体は、樹脂材料によって略筒状に形成されるとともに、反被写体側に配置され、第２ケース体の外周面には、携帯機器にレンズ駆動装置を取り付けるための取付凹部が形成され、第１ケース体には、第２ケース体の外周面に外側から重なるように反被写体側へ延びる延出部が取付凹部を避けた位置に形成されていることを特徴とする。
【００１０】
本発明のレンズ駆動装置では、被写体側に配置される第１ケース体の延出部が、反被写体側に配置される第２ケース体の外周面に外側から重なるように反被写体側へ延びている。そのため、延出部が重なる第２ケース体の外周面と延出部との間、および、延出部の端面を利用して、第１ケース体と第２ケース体との接着面積を増やすことが可能になる。したがって、本発明では、第１ケース体と第２ケース体との固定強度を高めることが可能になる。
【００１１】
また、本発明では、磁性材料で形成される第１ケース体の延出部が、樹脂材料で形成される第２ケース体の外周面に重なるように反被写体側へ延びている。そのため、磁性材料で形成される第１ケース体が配置されるレンズ駆動装置の被写体側に加え、樹脂材料で形成される第２ケース体が配置されるレンズ駆動装置の反被写体側においても、レンズ駆動装置の内部と外部との間での電磁波の通過を抑制することが可能になる。すなわち、本発明では、第１ケース体に延出部を形成するといった比較的簡易な構成で、レンズ駆動装置の内部と外部との間での電磁波の通過を抑制することが可能になる。
【００１２】
さらに、本発明では、携帯機器にレンズ駆動装置を取り付けるための取付凹部を避けた位置に延出部が形成されている。そのため、本発明では、携帯機器へのレンズ駆動装置の取付に支障を来すことなく、第１ケース体と第２ケース体との固定強度を高めることが可能になり、かつ、レンズ駆動装置の内部と外部との間での電磁波の通過を抑制することが可能になる。
【００１３】
本発明において、延出部は、第２ケース体の反被写体側端まで延びていることが好ましい。このように構成すると、第２ケース体の反被写体側端まで延出部が延びていない場合と比較して、第２ケース体の外周面と延出部との間、および、延出部の端面を利用して、第１ケース体と第２ケース体との接着面積をより大きくすることが可能になる。したがって、第１ケース体と第２ケース体との固定強度をより高めることが可能になる。また、第２ケース体が配置されるレンズ駆動装置の反被写体側において、レンズ駆動装置の内部と外部との間での電磁波の通過を効果的に抑制することが可能になる。
【００１４】
本発明において、たとえば、第１ケース体および第２ケース体は、光軸方向から見たときの形状が略四角形状となる略四角筒状に形成され、取付凹部は、第２ケース体の四隅の外周面に形成され、第１ケース体の四隅には、取付凹部が露出するように切欠部が形成され、延出部は、切欠部の間に形成されている。
【００１５】
本発明において、第１ケース体の側面のそれぞれには、光軸方向に略平行な延出部の２個の第１端面と、光軸方向に略直交するとともに第１端面の被写体側端から第１ケース体の四隅に向かう２個の第２端面とが形成されていることが好ましい。このように構成すると、光軸方向に略平行な第１端面と光軸方向に略直交する第２端面とを用いて、第１ケース体と第２ケース体とを接着することが可能になる。したがって、光軸方向および光軸方向に略直交する方向の両方向で、第１ケース体と第２ケース体との固定強度を高めることが可能になる。
【発明の効果】
【００１６】
以上のように、本発明では、光軸方向で組み合わされて固定される第１ケース体と第２ケース体との固定強度を高めることが可能になり、また、比較的簡易な構成で、レンズ駆動装置の内部と外部との間での電磁波の通過を抑制することが可能になる。
【図面の簡単な説明】
【００１７】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図２に示す駆動用磁石部および駆動用コイルの配置関係を説明するための斜視図である。
【図５】図４に示す駆動用磁石部および駆動用コイルの側面図である。
【図６】図５のＨ−Ｈ方向から駆動用磁石片および駆動用コイルを示す図である。
【発明を実施するための形態】
【００１８】
以下、本発明の実施の形態を図面に基づいて説明する。
【００１９】
（レンズ駆動装置の構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図２に示す駆動用磁石部１７および駆動用コイル１８の配置関係を説明するための斜視図である。図５は、図４に示す駆動用磁石部１７および駆動用コイル１８の側面図である。図６は、図５のＨ−Ｈ方向から駆動用磁石片２４および駆動用コイル１８を示す図である。
【００２０】
本形態のレンズ駆動装置１は、携帯電話等の携帯機器に搭載される比較的小型のカメラで使用されるものである。すなわち、レンズ駆動装置１は、携帯機器に搭載されて使用される。このレンズ駆動装置１は、図１に示すように、全体として略四角柱状に形成されている。すなわち、レンズ駆動装置１は、撮影用のレンズの光軸Ｌの方向（光軸方向）から見たときの形状が略四角形状となるように形成されている。
【００２１】
本形態のレンズ駆動装置１が搭載されるカメラでは、図２の下側（すなわち、Ｚ２方向側）に図示を省略する撮像素子が配置されており、図２の上側（すなわち、Ｚ１方向側）に配置される被写体が撮影される。したがって、以下の説明では、Ｚ１方向側を被写体側（物体側）、Ｚ２方向側を反被写体側（撮像素子側）とする。また、以下の説明では、光軸Ｌに直交するとともに互いに直交する２方向をＸ方向、Ｙ方向とする。本形態では、レンズ駆動装置１の４つの側面は、Ｘ方向またはＹ方向と平行になっている。
【００２２】
レンズ駆動装置１は、図１、図２に示すように、撮影用のレンズを保持し光軸方向に移動可能な可動体２と、可動体２を光軸方向へ移動可能に保持する固定体３と、可動体２を光軸方向へ駆動するための駆動機構４とを備えている。可動体２は、２種類の板バネ５、６（図３参照）を介して固定体３に移動可能に保持されている。なお、図２では、板バネ５、６の図示を省略している。
【００２３】
可動体２は、複数のレンズが固定されたレンズホルダ７を保持するスリーブ８と、駆動機構４を構成する後述の駆動用コイル１８の端部が半田付け等で電気的に接続されて固定されるコイル端固定部材９、１０とを備えている。なお、図２では、コイル端固定部材９、１０の図示を省略し、図３では、レンズホルダ７の図示を省略している。
【００２４】
レンズホルダ７は、略円筒状に形成されており、その内周側に複数のレンズが固定されている。スリーブ８は、略筒状に形成されており、その内周側でレンズホルダ７を保持している。スリーブ８の外周には、駆動機構４を構成する後述の駆動用コイル１８を固定するための固定面８ａと、駆動用コイル１８が載置される載置面８ｂとが形成されている（図２参照）。コイル端固定部材９、１０は、導電性を有する金属材料で形成されている。このコイル端固定部材９、１０は、スリーブ８の反被写体側の端面に固定されている。
【００２５】
固定体３は、被写体側に配置される第１ケース体１１と、反被写体側に配置される第２ケース体１２とを備えている。
【００２６】
第１ケース体１１は、磁性材料で形成されるとともに、底部１１ａと筒部１１ｂとを有する底付きの略四角筒状（略有底四角筒状）に形成されている。本形態の第１ケース体１１は、たとえば、絞り加工で形成されており、底部１１ａの厚さよりも筒部１１ｂの厚さが薄くなっている。第１ケース体１１は、駆動機構４および可動体２の外周側を囲むように配置されている。
【００２７】
被写体側に配置される底部１１ａの中心には、円形の貫通孔１１ｃが形成されている。反被写体側における筒部１１ｂの四隅には、切欠部１１ｄが形成されており、筒部１１ｂの、切欠部１１ｄの間には、反被写体側へ延びる延出部１１ｅが形成されている。すなわち、第１ケース体１１には、４個の延出部１１ｅが形成されている。
【００２８】
切欠部１１ｄは、筒部１１ｂの反被写体側端から被写体側に向かって窪むように形成されている。延出部１１ｅは、略四角形状に形成されており、筒部１１ｂを構成する４個の側面１１ｆのそれぞれには、光軸方向に略平行な延出部１１ｅの２個の端面（第１端面）１１ｇと、Ｘ方向またはＹ方向に平行で端面１１ｇの被写体側端から第１ケース体１１の四隅に向かう２個の端面（第２端面）１１ｈとが形成されている。
【００２９】
第２ケース体１２は、樹脂材料で形成されるとともに、略四角筒状に形成されている。第２ケース体１２には、図３に示すように、端子１３が固定されている。また、第２ケース体１２には、スリーブ８の反被写体側の端面が当接する当接面１２ａ（図２参照）と、携帯電話等の携帯機器にレンズ駆動装置１を取り付けるための取付凹部１２ｂ（図３参照）と、第１ケース体１１の延出部１１ｅが配置される配置凹部１２ｃ（図３参照）とが形成されている。
【００３０】
当接面１２ａは、光軸Ｌに略直交する平面状に形成されている。取付凹部１２ｂは、第２ケース体１２の四隅の外周面に形成されている。この取付凹部１２ｂは、たとえば、ＳＭＩＡ（Ｓｔａｎｄａｒｄ  Ｍｏｂｉｌｅ  Ｉｍａｇｉｎｇ  Ａｒｃｈｉｔｅｃｔｕｒｅ）規格に準拠するように形成されており、具体的には、Ｙ方向に平行な第２ケース体１２の側面からＸ方向の内側に向かって窪むように形成されている。配置凹部１２ｃは、第２ケース体１２の４個の側面からＸ方向内側またはＹ方向内側に向かって窪むように形成されている。また、配置凹部１２ｃは、Ｘ方向またはＹ方向における第２ケース体１２の側面の中央部に形成されるとともに、取付凹部１２ｂと繋がらないように形成されている。
【００３１】
第２ケース体１２は、レンズホルダ７の反被写体側の外周側等を覆うように、第１ケース体１１の反被写体側に取り付けられている。すなわち、第１ケース体１１と第２ケース体１２とは光軸方向で組み合わされている。具体的には、第１ケース体１１の延出部１１ｅが第２ケース体１２の配置凹部１２ｃに配置されるように、第１ケース体１１と第２ケース体１２とが組み合わされて互いに固定されている。すなわち、延出部１１ｅが第２ケース体１２の外周面に外側から重なるように、第１ケース体１１と第２ケース体１２とが組み合わされて互いに固定されている。また、第２ケース体１２の被写体側の端面１２ｄと第１ケース体１１の端面１１ｈとが当接するように、第１ケース体１１と第２ケース体１２とが組み合わされて固定されている。
【００３２】
第１ケース体１１と第２ケース体１２とが組み合わされると、図１に示すように、取付凹部１２ｂは切欠部１１ｄに対応する位置に配置されており、取付凹部１２ｂは露出している。すなわち、切欠部１１ｄは、取付凹部１２ｂが露出するように形成されている。また、延出部１１ｅは、取付凹部１２ｂに重ならない位置に配置されている。すなわち、延出部１１ｅは、取付凹部１２ｂを避けた位置に形成されている。また、延出部１１ｅは、第２ケース体１２の反被写体側端まで延びている。すなわち、延出部１１ｅの反被写体側の端面と、第２ケース体１２の反被写体側の端面とが略一致している。
【００３３】
なお、本形態では、第１ケース体１１と第２ケース体１２とが組み合わされると、図１に示すように、第１ケース体１１の外周面と第２ケース体１２の最外周面とが略同一平面上に配置される。すなわち、本形態では、延出部１１ｅは、第２ケース体１２の最外周面よりも径方向の外側へ突出していない。
【００３４】
第１ケース体１１と第２ケース体１２とは、接着で固定されている。たとえば、配置凹部１２ｃや、第１ケース体１１の端面１１ｇ、１１ｈに接着剤が塗布された状態で、第１ケース体１１と第２ケース体１２とが光軸方向で組み合わされて固定される。
【００３５】
板バネ５は、スリーブ８に固定されるスリーブ固定部と、第１ケース体１１に固定されるケース体固定部と、スリーブ固定部とケース体固定部とを繋ぐバネ部とから構成され、可動体２の被写体側に配置されている。スリーブ固定部は、スリーブ８の被写体側の端面に固定されている。ケース体固定部は、略矩形の枠状に形成されたスペーサ１４を介して第１ケース体１１の底部１１ａの反被写体側の面に固定されている。
【００３６】
板バネ６は、スリーブ８に固定されるスリーブ固定部と、第２ケース体１２に固定されるケース体固定部と、スリーブ固定部とケース体固定部とを繋ぐバネ部とから構成され、可動体２の反被写体側に配置されている。スリーブ固定部は、コイル端固定部材９、１０を介してスリーブ８の反被写体側の端面に固定されている。ケース体固定部は、第２ケース体１２に固定されている。
【００３７】
駆動機構４は、図２、図４等に示すように、レンズ駆動装置１の四隅（具体的には、第１ケース体１１の内側の四隅）に配置される略三角柱状の４個の駆動用磁石部１７と、略三角筒状に巻回され、その内周側が駆動用磁石部１７の外周面と所定の隙間を介して対向配置される４個の駆動用コイル１８と、駆動用コイル１８よりも被写体側で可動体２に固定される磁性部材１９と、駆動用コイル１８の被写体側および反被写体側に取り付けられるコイル保護部材２０、２１と、駆動用磁石部１７の反被写体側に配置される磁性板２２とを備えている。
【００３８】
駆動用磁石部１７は、光軸方向で重なるように配置される略三角柱状の２個の駆動用磁石片２３、２４と、駆動用磁石片２３、２４の間に配置される平板状の磁性部材２５とを備えている。
【００３９】
駆動用磁石片２３、２４は、光軸方向から見たときの形状が略直角二等辺三角形となるように形成されており、図４、図６に示すように、光軸Ｌに略平行でかつ互いに直交する矩形状の２個の直交面部２３ａ、２４ａと、光軸Ｌに略平行でかつ２個の直交面部２３ａ、２４ａを繋ぐ矩形状の１個の斜面部２３ｂ、２４ｂとを備えている。
【００４０】
駆動用磁石片２３、２４は、第１ケース体１１の筒部１１ｂの内周面と直交面部２３ａ、２４ａとが略平行になるように配置されている。また、４個の駆動用磁石片２３は、第１ケース体１１の底部１１ａに固定されている。具体的には、４個の駆動用磁石片２３の被写体側の端面が、底部１１ａの反被写体側の面に当接した状態で、底部１１ａの反被写体側の面に接着等によって固定されている。
【００４１】
磁性部材２５は、磁性材料で形成されている。この磁性部材２５は、光軸方向から見たときの形状が駆動用磁石片２３、２４と同様の略直角二等辺三角形状となる平板状に形成されている。
【００４２】
磁性板２２は、磁性材料で形成されるとともに、平板状に形成されている。この磁性板２２は、４個の駆動用磁石部１７の反被写体側の端面のそれぞれを覆う略三角形状の４個の覆部２２ａと、４個の覆部２２ａを繋ぐ４個の接続部２２ｂとから構成されている。
【００４３】
覆部２２ａは、光軸方向から見たときの形状が略直角二等辺三角形状となるように形成されている。接続部２２ｂは、細長い長方形状に形成され、Ｘ方向またはＹ方向と平行になるように配置されている。この接続部２２ｂは、磁性板２２の外周端側において、レンズ駆動装置１の周方向で隣り合う覆部２２ａ同士を接続しており、磁性板２２の中心には、スリーブ８が挿通される挿通孔２２ｃが光軸方向に貫通するように形成されている。
【００４４】
磁性板２２は、４個の駆動用磁石片２４の反被写体側の端面に固定されている。具体的には、磁性板２２は、覆部２２ａが駆動用磁石片２４の反被写体側の端面に当接した状態で４個の駆動用磁石片２４に接着等で固定されている。また、磁性板２２の外周端は、図２に示すように、第１ケース体１１の筒部１１ｂの内周面に当接している。
【００４５】
駆動用コイル１８は、図６に示すように、光軸方向から見たときの形状が略直角二等辺三角形状となるように巻回されており、光軸Ｌに略平行でかつ互いに直交する矩形状の２個の直交面部１８ａと、光軸Ｌに略平行でかつ２個の直交面部１８ａを繋ぐ矩形状の１個の斜面部１８ｂとを備えている。
【００４６】
４個の駆動用コイル１８は、スリーブ８の外周面に固定されている。具体的には、スリーブ８の載置面８ｂに斜面部１８ｂの反被写体側の面が載置された状態で斜面部１８ｂが固定面８ａに接着で固定されている。また、駆動用コイル１８の内周面と駆動用磁石部１７の外周面とが所定の隙間を介して略平行になるように、斜面部１８ｂが固定面８ａに固定されており、駆動用コイル１８は、第１ケース体１１の内側の四隅に配置されている。なお、駆動用コイル１８は、第１ケース体１１の内周面との間に所定の隙間を保った状態で、第１ケース体１１の内側の四隅に配置されており、スリーブ８とともに光軸方向へ移動可能となっている。
【００４７】
図５に示すように、駆動用磁石部１７を構成する２個の駆動用磁石片２３、２４は、光軸方向において、同じ磁極同士（Ｓ極とＳ極、あるいは、Ｎ極とＮ極）が対向するように配置されている。そのため、図５、図６に示すように、駆動用磁石片２３、２４の間には、駆動用コイル１８の直交面部１８ａおよび斜面部１８ｂを通過する磁束Ｆが発生している。
【００４８】
磁性部材１９は、磁性材料で形成されるとともに、略円環状に形成されている。本形態では、可動体２の可動範囲内において、光軸方向における駆動用磁石部１７の中間位置に向かって磁性部材１９が吸引されるように、駆動用磁石部１７と駆動用コイル１８とが配置されている。
【００４９】
コイル保護部材２０、２１は、ＰＥＴ（ポリエチレンテレフタレート）等の比較的硬い樹脂材料または金属材料で形成されるとともに、図３に示すように、略矩形の枠状に形成されている。本形態では、駆動用コイル１８の被写体側の端面にコイル保護部材２０が取り付けられ、駆動用コイル１８の反被写体側の端面にコイル保護部材２１が取り付けられている。
【００５０】
（本形態の主な効果）
以上説明したように、本形態では、被写体側に配置される第１ケース体１１の延出部１１ｅが、反被写体側に配置される第２ケース体１２の外周面に外側から重なるように反被写体側へ延びている。そのため、延出部１１ｅと配置凹部１２ｃとの間、および、第１ケース体１１の端面１１ｇ、１１ｈ等を利用して、第１ケース体１１と第２ケース体１２との接着面積を増やすことができる。したがって、本形態では、第１ケース体１１と第２ケース体１２との固定強度を高めることができる。
【００５１】
特に本形態では、第２ケース体１２の反被写体側端まで延出部１１ｅが延びているため、第２ケース体１２の反被写体側端まで延出部１１ｅが延びていない場合と比較して、延出部１１ｅと配置凹部１２ｃとの間、および、第１ケース体１１の端面１１ｇにおいて、第１ケース体１１と第２ケース体１２との接着面積をより大きくすることができる。したがって、第１ケース体１１と第２ケース体１２との固定強度をより高めることができる。
【００５２】
また、本形態では、第１ケース体１１の側面１１ｆのそれぞれに、光軸方向に略平行な２個の端面１１ｇと、光軸方向に略直交する２個の端面１１ｈとが形成されている。そのため、端面１１ｇ、１１ｈを用いて、第１ケース体１１と第２ケース体１２とを接着することで、光軸方向および光軸方向に略直交する方向の両方向で、第１ケース体１１と第２ケース体１２との固定強度を高めることができる。すなわち、端面１１ｇのみを用いて第１ケース体１１と第２ケース体１２とを接着すると、光軸方向に略直交する方向での第１ケース体１１と第２ケース体１２との固定強度を高めることは可能であるが、光軸方向における第１ケース体１１と第２ケース体１２との固定強度を高めることは困難である。一方、端面１１ｈのみを用いて第１ケース体１１と第２ケース体１２とを接着すると、光軸方向での第１ケース体１１と第２ケース体１２との固定強度を高めることは可能であるが、光軸方向に略直交する方向における第１ケース体１１と第２ケース体１２との固定強度を高めることは困難である。これに対して、本形態では、光軸方向および光軸方向に略直交する方向の両方向で、第１ケース体１１と第２ケース体１２との固定強度を高めることができる。
【００５３】
本形態では、磁性材料で形成される第１ケース体１１の延出部１１ｅが、樹脂材料で形成される第２ケース体１２の外周面に重なるように反被写体側へ延びている。そのため、磁性材料で形成される第１ケース体１１が配置されるレンズ駆動装置１の被写体側に加え、樹脂材料で形成される第２ケース体１２が配置されるレンズ駆動装置１の反被写体側においても、レンズ駆動装置１の内部と外部との間での電磁波の通過を抑制することが可能になる。特に本形態では、延出部１１ｅが第２ケース体１２の反被写体側端まで延びているため、第２ケース体１２が配置されるレンズ駆動装置１の反被写体側において、レンズ駆動装置１の内部と外部との間での電磁波の通過を効果的に抑制することが可能になる。このように、本形態では、第１ケース体１１に延出部１１ｅを形成するといった比較的簡易な構成で、レンズ駆動装置１の内部と外部との間での電磁波の通過を抑制することが可能になる。
【００５４】
本形態では、携帯機器にレンズ駆動装置１を取り付けるための取付凹部１２ｂに重ならない位置に延出部１１ｅが形成されている。そのため、本形態では、携帯機器へのレンズ駆動装置１の取付に支障を来すことなく、第１ケース体１１と第２ケース体１２との固定強度を高めることができ、かつ、レンズ駆動装置１の内部と外部との間での電磁波の通過を抑制することが可能になる。
【００５５】
（他の実施の形態）
上述した形態は、本発明の好適な形態の一例ではあるが、これに限定されるものではなく本発明の要旨を変更しない範囲において種々変形実施が可能である。
【００５６】
上述した形態では、延出部１１ｅの反被写体側の端面と、第２ケース体１２の反被写体側の端面とは略一致しているが、延出部１１ｅの反被写体側の端面と、第２ケース体１２の反被写体側の端面とは略一致していなくても良い。たとえば、延出部１１ｅの反被写体側の端面が第２ケース体１２の反被写体側の端面よりも被写体側に配置されても良いし、延出部１１ｅの反被写体側の端面が第２ケース体１２の反被写体側の端面よりも反被写体側に配置されても良い。
【００５７】
上述した形態では、第１ケース体１１に４個の延出部１１ｅが形成されている。この他にもたとえば、第１ケース体１１に形成される延出部１１ｅの数は、５個以上であっても良いし、３個以下であっても良い。また、上述した形態では、延出部１１ｅは、略四角形状に形成されているが、延出部１１ｅは、四角形状以外の多角形状に形成されても良いし、半円形状や半楕円形状等に形成されても良い。
【００５８】
上述した形態では、レンズ駆動装置１は、光軸方向から見たときの形状が略四角形状となるように形成されている。この他にもたとえば、レンズ駆動装置１は、光軸方向から見たときの形状が略四角形状以外の略多角形状となるように形成されても良いし、光軸方向から見たときの形状が略円形状あるいは略楕円形状となるように形成されても良い。すなわち、第１ケース体１１および第２ケース体１２は、略四角筒状以外の略多角筒状に形成されても良いし、略円筒状あるいは略楕円筒状に形成されても良い。
【００５９】
上述した形態では、駆動用磁石部１７は略三角柱状に形成されているが、駆動用磁石部１７は略三角柱状以外の略多角柱状に形成されても良いし、略円柱状や略楕円柱状に形成されても良い。また、上述した形態では、駆動用コイル１８は略三角筒状に巻回されているが、駆動用コイル１８は略三角筒状以外の略多角筒状に巻回されても良いし、略円筒状や略楕円筒状に巻回されても良い。
【００６０】
上述した形態では、可動体２側に駆動用コイル１８が固定され、固定体３側に駆動用磁石部１７が固定されているが、可動体２側に駆動用磁石部１７が固定され、固定体３側に駆動用コイル１８が固定されても良い。また、上述した形態では、レンズ駆動装置１は、４個の駆動用磁石部１７と４個の駆動用コイル１８と備えているが、レンズ駆動装置１が備える駆動用磁石部１７および駆動用コイル１８の数は、３個以下であっても良いし、５個以上であっても良い。
【００６１】
上述した形態では、略三角柱状の駆動用磁石部１７がレンズ駆動装置１の四隅に配置され、略三角筒状の駆動用コイル１８がスリーブ８の外周面に固定されるとともに、駆動用コイル１８の内周面と駆動用磁石部１７の外周面とが所定の隙間を介して対向配置されているレンズ駆動装置１に本発明の構成が適用されている。この他にもたとえば、スリーブの外周面に駆動用コイルが巻回され、この駆動用コイルの外周面に対向するように駆動用磁石が配置されているレンズ駆動装置（たとえば、上述の特許文献１に記載のレンズ駆動装置）に本発明の構成が適用されても良いし、スリーブの外周面に駆動用コイルが巻回され、この駆動用コイルの光軸方向の端面に対向するように駆動用磁石が配置されるレンズ駆動装置に本発明の構成が適用されても良い。
【符号の説明】
【００６２】
１  レンズ駆動装置
２  可動体
４  駆動機構
１１  第１ケース体
１１ｄ  切欠部
１１ｅ  延出部
１１ｆ  側面
１１ｇ  端面（第１端面）
１１ｈ  端面（第２端面）
１２  第２ケース体
１２ｂ  取付凹部
Ｌ  光軸
Ｚ１  被写体側
Ｚ２  反被写体側
【図１】
2010286509.tif 000003
【図２】
2010286509.tif 000004
【図３】
2010286509.tif 000005
【図４】
2010286509.tif 000006
【図５】
2010286509.tif 000007
【図６】
2010286509.tif 000008